(57)【要約】【課題】塵埃が断続的に供給される場合にも最適に作用する微細な水小滴を発生する塵埃除去装置を提供する。【解決手段】好ましくは斜めに立てて配置されたデミスタ１５を備えた塵埃除去装置１は、強力に作用する多噴射流ノズル３３の使用によって、塵埃を含む未処理空気２４を充分に湿潤させることができるので、非常にコンパクトな構造を有する。ファンは固有のファンケーシング１８に付設されている。このファンケーシングは塵埃除去装置ケーシング１０に接続され、後続配置の消音装置２０を備えている。【選択図】図１
2005000915.tif 000002
【特許請求の範囲】
【請求項１】
塵埃除去装置ケーシング（１０）が備えられ、この塵埃除去装置ケーシングが分離要素として、湿潤ノズル（２９，３０，３１）を備えたデミスタ（１５）と滴捕集器（１６）を備え、入口側（１３）または出口側（１４）の範囲に配置された、駆動装置（１２）を有するファン（１１）が、塵埃除去装置ケーシングに付設されている、坑内採掘およびトンネル建設工事で、塵埃を発生する機械および／または設備の背後でまたは機械および／または設備上で使用するための塵埃除去装置において、空気流方向（２５）でデミスタ（１５）の手前に配置された湿潤ノズル（２９，３０，３１）が、多噴射流ノズル（３３）として形成され、この多噴射流ノズルの個々のノズル（４６，４７）が共通の１つの噴射パターンを生じるように分配配置されていることと、ファン（１１）がデミスタ（１５）と滴捕集器（１６）の背後できれいなガス流（３４）内に位置決めされていることを特徴とする塵埃除去装置。
【請求項２】
ファン（１１）が塵埃除去装置ケーシング（１０）に接続可能なファンケーシング（１８）に付設され、かつ騒音防止装置（１９）を備えていることを特徴とする、請求項１記載の塵埃除去装置。
【請求項３】
騒音防止装置（１９）としての働きをする消音装置（２０）がファンケーシング（１８）に付設されている、特にファンケーシングの後に配置されていることを特徴とする、請求項１記載の塵埃除去装置。
【請求項４】
塵埃除去装置ケーシング（１０）とファンケーシング（１８）が連結状態で掘進機械（２）上に配置され、特に採取アーム（４）とコンベヤ（５）の間の範囲に配置されていることを特徴とする、請求項１〜３のいずれか一つに記載の塵埃除去装置。
【請求項５】
デミスタ（１５）が未処理空気（２４）内で傾斜させて入口側（１３）に直接配置され、上側エッジ（２２）が下側エッジ（２３）よりも突出するように形成および配置されていることを特徴とする、請求項１〜４のいずれか一つに記載の塵埃除去装置。
【請求項６】
塵埃除去装置ケーシング（１０）とファンケーシング（１８）が固有の支柱（６）を備え、この支柱によって塵埃除去装置ケーシングとファンケーシングが走行装置（７）に支持されていることを特徴とする、請求項１〜５のいずれか一つに記載の塵埃除去装置。
【請求項７】
塵埃除去装置ケーシング（１０）またはファンケーシング（１８）の出口側（１４）が案内ノズル（２１）を備えていることを特徴とする、請求項１〜６のいずれか一つに記載の塵埃除去装置。
【請求項８】
デミスタ（１５）と滴捕集器（１６）の間に空気案内板（３５，３６）が配置され、底板（３７）が滴捕集器（１６）の方向に傾斜するように位置決めされていることを特徴とする、請求項１〜７のいずれか一つに記載の塵埃除去装置。
【請求項９】
多噴射流ノズル（３３）が未処理空気（２４）の方に噴射流を排出するように配置されていることを特徴とする、請求項１〜８のいずれか一つに記載の塵埃除去装置。
【請求項１０】
多噴射流ノズル（３３）がデミスタ（１５）の傾斜に一致するように傾斜させた支持台（３８）に付設されていることを特徴とする、請求項１〜９のいずれか一つに記載の塵埃除去装置。
【請求項１１】
デミスタ（１５）と滴分離装置（１６）の範囲において、点検扉（３９，４０）が塵埃除去装置ケーシング（１０）、特に回転扉に設けられていることを特徴とする、請求項１〜１０のいずれか一つに記載の塵埃除去装置。
【請求項１２】
個々の多噴射流ノズル（３３）がコンパクトケーシング（４４）を備え、このコンパクトケーシングが分配室（４５）を備え、相互の中に噴射し分配配置された個々のノズル（４６，４７）が前記分配室に接続されていることを特徴とする、請求項１〜１１のいずれか一つに記載の塵埃除去装置。
【請求項１３】
多噴射流ノズル（３３）の個々のノズル（４６，４７）が同じ直径と同じ出口穴を有することを特徴とする、請求項１〜１２のいずれか一つに記載の塵埃除去装置。
【請求項１４】
噴射角を拡大するために、個々のノズル（４６，４７）の若干がノズル底面（５０）の傾斜部（４８）の範囲内で噴射するように配置されていることを特徴とする、請求項１〜１３のいずれか一つに記載の塵埃除去装置。
【請求項１５】
小さな噴射角（例えば６０°）を有する多噴射流ノズル（３３）と、大きな噴射角（例えば１２０°）を有する多噴射流ノズルが、全円噴射パターン（５４）を生じるように支持台（３８）に配置されていることを特徴とする、請求項１〜１４のいずれか一つに記載の塵埃除去装置。
【請求項１６】
塵埃除去装置ケーシング（１０）が備えられ、この塵埃除去装置ケーシングが分離要素として、湿潤ノズル（２９，３０，３１）を備えたデミスタ（１５）と滴捕集器（１６）を備え、入口側（１３）または出口側（１４）の範囲内に配置された、駆動装置（１２）を有するファン（１１）が、塵埃除去装置ケーシングに付設されている、地下採掘およびトンネル建設工事で、塵埃を発生する機械および／または設備の背後でまたは機械および／または設備上で使用するための塵埃除去装置において、湿潤ノズル（２９，３０，３１）が空気流方向（２５）においてデミスタ（１５）の手前に配置されていることと、ファン（１１）がデミスタ（１５）と滴捕集器（１６）の背後のきれいなガス流（３４）内に位置決めされていることと、添加剤ケーシング（５８，５９）が設けられ、この添加剤ケーシングが配量器（６０）を経て給水管（４１）に添加剤を排出するように形成および配置されていることを特徴とする塵埃除去装置。
【請求項１７】
給水管（５１）に付設された混合器（６２）またはこの給水管に一体化された混合器が、デミスタ（６０）の後に配置されていることを特徴とする、請求項１６記載の塵埃除去装置。
【請求項１８】
塵埃除去装置ケーシング（１０）が備えられ、この塵埃除去装置ケーシングが分離要素として、湿潤ノズル（２９，３０，３１）を備えたデミスタ（１５）と滴捕集器（１６）を備え、入口側（１３）または出口側（１４）の範囲内に配置された、駆動装置（１２）を有するファン（１１）が、塵埃除去装置ケーシングに付設されている、地下採掘およびトンネル建設工事で、塵埃を発生する機械および／または設備の背後でまたは機械および／または設備上で使用するための塵埃除去装置において、滴捕集器（１６）を備えたデミスタ（１５）と、湿潤ノズル（２９，３０，３１）の手前に、噴射装置（６４）が設けられ、この噴射装置が微細に分散させられた滴を発生するノズル（６５，６６）を備え、かつ給水器（６７）または給水管（４１）と、混合器（６２′）を備えた配量器（６０）に接続されていることを特徴とする塵埃除去装置。
【請求項１９】
ノズルで噴射されて細かな滴になる水が粉塵を含む空気に供給され、そして発生するスラリが集められ、湿った空気が水滴の分離によって乾燥され、そしてきれいなガス流に移行させられる、地下採掘およびトンネル建設工事で塵埃を発生する機械おび設備の背後で塵埃を凝結し、爆破蒸気をその中に含まれるガスと共に現場で廃棄するための方法において、ノズルで噴射されて細かな滴になる水が、塵埃を交替して凝結する装置を介して、爆破の際に発生する蒸気に供給され、この水に予め添加剤が混合され、この添加剤が爆破の際に遊離する、窒素酸化物を含む類似のガスと共に、環境にやさしい化合物を生じることを特徴とする方法。
【請求項２０】
添加剤を多く含む水が、塵埃を凝結する装置から手前に離れてところで、爆破ガスに強く関連づけて爆破ガスに噴射されることを特徴とする、請求項１９記載の方法。
【発明の詳細な説明】
【技術分野】
【０００１】
本発明は、塵埃除去装置ケーシングが備えられ、この塵埃除去装置ケーシングが分離要素として、湿潤ノズルを備えたデミスタと滴捕集器を備え、入口側または出口側の範囲内に配置された、駆動装置を有するファンが、塵埃除去装置ケーシングに付設されている、坑内採掘およびトンネル建設工事で、塵埃を発生する機械および／または設備の背後でまたは機械および／または設備上で使用するための塵埃除去装置（集塵装置）に関する。
【背景技術】
【０００２】
このような塵埃除去装置は特許文献１によって知られている。この公知の塵埃除去装置はファンを備えている。このファンは入口側と出口側の間において未処理ガス流内に配置されている。すなわち、デミスタと滴捕集器の手前に配置されている。空気流内にほぼ水平に懸吊配置されたデミスタだけでなく、ファンロータにも、湿潤ノズルが付設されているかまたはその手前に配置されている。従って、このファンロータには、塵埃だけでなく、水滴も供給される。他の湿潤ノズルが伝動装置の範囲に配置されている。それによって、予め湿らせた塵埃がデミスタの範囲に達する。そこに配置されたノズルは、デミスタ内でスラリを分離しやすくするために、デミスタの方向に噴射する。湿潤ノズルまたは水ノズルが多数設けられることは別として、未処理のガスによって一緒に運ばれてきた塵埃を湿らすことになる均一な霧状の水が供給されないという欠点がある。更に、上記の配置構造により、塵埃除去装置をコンパクトな構造にすることができず、長くのびた構造となるという欠点がある。
【特許文献１】独国特許出願公開第１９８５３１９０号公報
【発明の開示】
【発明が解決しようとする課題】
【０００３】
そこで、本発明の根底をなす課題は、塵埃が断続的に供給される場合にも最適に作用する微細な水小滴を発生する塵埃除去装置を提供することである。
【課題を解決するための手段】
【０００４】
この課題は本発明に従い、空気流方向でデミスタの手前に配置された湿潤ノズルが、多噴射流ノズルとして形成され、この多噴射流ノズルの個々のノズルが共通の１つの噴射パターンを生じるように分配配置されていることと、ファンがデミスタと滴捕集器の背後できれいなガス流内に位置決めされていることによって解決される。
【０００５】
このように形成された塵埃除去装置の場合、驚くべきことに、塵埃除去装置ケーシングを非常にコンパクトに形成することができる。この場合、ファンまたはファンケーシングは“外側で支持される”。多噴射流ノズルによる塵埃の強力な湿潤によって、霧状の水を発生するノズルを手前に配置する必要がなく、従ってファンはデミスタと滴捕集器の背後に配置させることが可能である。というのは、ファンが未処理のガスまたは未処理の空気を均一に湿らすためにもはや必要ではないからである。これは、水滴と塵埃粒子とスラリ粒子がファンロータ自体に供給されないという他の大きな利点がある。ファンはデミスタと滴捕集器の背後の“安全な”空間内に収納される。それぞれ共通の噴射パターンを有する複数の多噴射流ノズルが設けられているので、微細な霧状の水のシールドが設けられ、塵埃粒子がこれを通過する際に湿らせられる。そして、塵埃粒子はデミスタ内で確実に捕集されて排出される。一方、残りの小滴の水は滴捕集器で捕集され、同様に廃棄される。従って、ファン、特にファンロータの範囲には、このファンやファンロータをもはや危険にしないきれいな空気だけが達する。このような塵埃除去装置は寸法の低下に基づいて多方面で使用可能である。塵埃除去装置は特別な構造に基づいて効率的に作動し、原価が安い。
【０００６】
本発明の合目的な実施形では、ファンが塵埃除去装置ケーシングに接続可能なファンケーシングに付設され、かつ騒音防止装置を備えている。塵埃除去装置の特別な構造に基づいて、ファンに、固有のケーシングと騒音防止装置を付設することができる。これは、ファンケーシング自体が騒音防止装置を備えるので、このような塵埃除去装置の騒音が大幅に低減されることを意味する。塵埃除去装置ケーシングに一体化された古い構造のファンには、寸法に基づいて、騒音防止装置を付設することができない。それによって、本発明による塵埃除去装置は、ますます厳しくなる環境保護規定を満足する。
【０００７】
他の実施形では、騒音防止装置としての働きをする消音装置がファンケーシングに付設されている、特にファンケーシングの後に配置されている。騒音防止装置が付設されている場合には、ファンケーシングの壁の厚さの増大が騒音防止装置としての働きをし、消音装置がファンケーシングの後に配置されている場合には、きれいな空気の流出騒音またはファンから出る騒音が最小限に抑えられる。
【０００８】
組合せられた塵埃除去装置の所望な寸法に基づいて、塵埃除去装置を塵埃発生装置に直接付設することができる。そこで、本発明では、塵埃除去装置ケーシングとファンケーシングが連結状態で掘進機械上に配置され、特に採取アームとコンベヤの間の範囲に配置されている。このような構造の場合、塵埃除去装置は、採取ヘッドによって発生する塵埃を直接吸引して排出するように配置可能である。従って、空気流の一部が塵埃除去装置のそばを通過して構造または適当な空間内に達するという危険が生じない。その際、上記の構造の場合塵埃除去装置が掘進機械に載せられるので、付加的なスペースを必要としない。コンパクトな塵埃除去装置ケーシングとファンケーシングを、存在する空間内に簡単に統合することができる。
【０００９】
大きな塵埃粒子または石がデミスタに侵入してデミスタが損傷するのを防止するために、本発明では、デミスタが未処理空気内で傾斜させて入口側に直接配置され、上側エッジが下側エッジよりも突出するように形成および配置されている。それによって、上側エッジは後続配置のデミスタの保護装置としての働きをするので、特別な保護装置は不要である。従って、坑道の天井から落下する石または大きな塵埃粒子は空気流によって一緒に運ばれないで、デミスタから落下し、地面に捨てられる。
【００１０】
採取アームとコンベヤの運動によって影響を受けないようにするために、塵埃除去装置ケーシングとファンケーシングが固有の支柱を備え、この支柱によって塵埃除去装置ケーシングとファンケーシングが走行装置に支持されている。従って、両ケーシングは走行装置に直接連結され、採取アームの位置やコンベヤの位置に関係なく位置を保持する。
【００１１】
塵埃除去装置とファンケーシングの上記の位置決めの際、きれいな空気はコンベヤ上に排出される。新たな塵埃の発生を防止するために、塵埃除去装置ケーシングまたはファンケーシングの出口側は案内ノズルを備えている。この案内ノズルにより、きれいな空気は、搬送物質に作用しないように案内排出される。この案内ノズルが調節可能であるので、必要に応じて、きれいな空気の排出方向を変えることができる。
【００１２】
塵埃または湿った空気がデミスタと滴捕集器に均一に供給されるようにするために、本発明では、デミスタと滴捕集器の間に空気案内板が配置され、底板が滴捕集器の方向に傾斜するように位置決めされている。水と塵埃の混合物またはスラリは、傾斜した底板上を滴捕集器の方に案内される。それによって、廃水を合目的な方法で排出または分離することができる。スラリはその後浚渫装置に案内されるかまたは他の方法で廃棄されるので、空気流がデミスタと滴捕集器に均一に達することが可能である
本発明で使用される多噴射流ノズルは、流れて来る塵埃をきわめて強く湿潤させる。これは特に、多噴射流ノズルが未処理空気の方に噴射流を排出するように配置されていること、すなわち非常に強くて密である微細な小滴の霧状の水を発生することによって達成される。それによって、水が塵埃に迅速にかつ確実に付加される。塵埃はその後デミスタによって捕集され、上記のように廃棄される。
【００１３】
デミスタの入口面に霧を均一にかつ密に分布させるために、本発明では、多噴射流ノズルがデミスタの傾斜に一致するように傾斜させた支持台に付設されている。それによって、多噴射流ノズルはその霧状の水を未処理の空気内に噴霧する。この場合、上記の構造によって、デミスタの全面にわたって霧状の水の厚さが均一になる。すなわち、未処理の空気が塵埃除去装置ケーシングの天井、中央または底範囲に沿って案内されるどうかに依存しないで、水の厚さが均一になる。
【００１４】
デミスタと滴捕集器の状態を容易にかつ迅速に監視し、同時に交換を行うかまたはこの範囲で他の作業を行うことができるようにするために、デミスタと滴分離装置の範囲において、点検扉が塵埃除去装置ケーシング、特に回転扉に設けられている。回転扉の使用により、点検作業終了したときに、これらの部品を直ちに再び使用し、その有効性にとって合目的であるように、回転扉を装着することができる。点検扉はシールを備えていてもよい。このシールは適切な構造の場合、正しく装着され、封止の働きをする。
【００１５】
使用される多噴射流ノズルは多数の個々のノズルを備えている。本発明に従って、個々の多噴射流ノズルがコンパクトケーシングを備え、このコンパクトケーシングが分配室を備え、相互の中に噴射し分配配置された個々のノズルが分配室に接続されていることにより、圧力下の水が上記ノズルに均一に供給される。従って、すべての個々のノズルに同じ圧力が供給される。というのは、１つの同じ分配室から、圧力下の水がノズルに供給されるからである。塵埃の均一な湿潤にとって重要な均一な噴射パターンを生じるために、ノズルは、噴射が互いに重なるように配置されている。
【００１６】
噴射パターンまたは噴霧パターンを均一に生じるために、他の実施形では、多噴射流ノズルの個々のノズルが同じ直径と同じ出口穴を有する。個々のノズルは所定の相互間隔をおいて配置され、しかも均一な噴射パターンを生じるように配置されている。この場合、同じ圧力と同じ寸法に基づいて、互いに影響および妨害し合わないで、均一な噴射パターンを生じる。
【００１７】
所定の大きな噴射角を生じるときには、噴射角を拡大するために、個々のノズルの若干がノズル底面の傾斜部の範囲内で噴射するように配置されていると有利である。一方、この個々のノズルの１個または複数はノズル底面の一平面内に配置されたままである。それによって、大きな噴射角を適切に生じることができ、それにもかかわらず、必要な強さまたは必要な噴射パターンが得られる。
【００１８】
多噴射流ノズルによって、塵埃を確実に凝結させる均一な噴射パターンを生じるべきである。この場合、本発明に従い、小さな噴射角（例えば６０°）を有する多噴射流ノズルと、大きな噴射角（例えば１２０°）を有する多噴射流ノズルが、全円噴射パターンを生じるように支持台に配置されている。例えば、外側のエッジに、小さな噴射角を有する多噴射流ノズルを、そして中央に、大きな噴射角を有する１個または複数の多噴射流ノズルを配置して、支持台に取付けることが考えられる。それによって、未処理の空気によって一緒に運ばれてきた塵埃ができるだけ強い湿潤作用または影響を受ける。
【００１９】
本発明の合目的な実施形に従って、ほぼ同じ塵埃除去装置を、爆破ガスにも使用することができる。そのために、湿潤ノズルが空気流方向においてデミスタの手前に配置され、ファンがデミスタと滴捕集器の背後のきれいなガス流内に位置決めされ、添加剤ケーシングが設けられ、この添加剤ケーシングが配量器を経て給水管に添加剤を排出するように形成および配置されている。それによって、同じ装備、すなわち同じ塵埃除去装置ケーシングによって、爆破の際に遊離する爆破ガスを処理し、きれいなガス流に流出するガスまたは空気が環境を汚す特性を持たないようにすることができる。形成される化合物による悪臭を完全に除去することはできないがしかし、この化合物を分離して再び処理するかまたは受け入れることができる。なぜなら、人にとって有害ではないからである。この解決策の場合、塵埃を凝結するかまたは爆破ガスを処理するために、湿潤ノズルは、空気流に強作用し得るように配置されている。それによって、後続配置のデミスタにおいて、滴を空気から再び取り出し、分離して更に処理するかまたは空気の形できれいなガス流に案内することができる。添加剤容器から、それぞれの配量器を経て、適当な量の添加剤が取り出される。この添加剤の量は爆破ガスの組成にとって必要であるか合目的である。
【００２０】
合目的な実施形では、給水管に付設された混合器またはこの給水管に一体化された混合器が、デミスタの後に配置されている。それによって、供給される添加剤が、湿潤ノズルによって爆破ガスに加えられる前に、水と強く混合される。配量器と後続配置された混合器は、塵埃の凝結の際に添加剤が混合されないようにするために、別々に作動させなければならない。更に、他の添加剤、すなわち塵埃の凝結を促進する添加剤を設けることができる。
【００２１】
本発明の他の実施形では、普通の湿潤ノズルを同時に使用しながら、あるいは別個に、滴捕集器を備えたデミスタと、湿潤ノズルの手前に、噴射装置が設けられ、この噴射装置が微細に分散させられた滴を発生するノズルを備え、かつ給水器または給水管と、混合器を備えた配量器に接続されている。爆破ガスまたはその組成に応じて、２つの処理ステップによって、すなわち普通の湿潤ノズルとこの湿潤ノズルの手前に配置されたノズルを介して、爆破ガスのこのような準備および処理を行うことが合目的である。この場合、爆破ガスを強く混合せずにおよび爆破ガスに強く作用しないで、手前に配置されたノズルを、微細な滴の水を発生するように調節または選択することができる。更に、爆破ガスの浄化が重要であるとき、すなわち後続配置の湿潤ノズルがこの処理ステップの間停止しているときに、湿潤ノズルの手前に配置されたこのノズルだけを使用することができる。
【００２２】
機械と設備の使用時に坑内採掘で生じる塵埃を、水の噴霧によって凝結させ、それによって空気を完全に処理することが知られている。爆薬を処理する際に、すなわち爆破の際に発生する爆破ガスは従来は風管区間を経て吸引排出され、しかも通常は、或る形態のこの爆破ガスとその中に含まれる窒素酸化物を有するガスに影響を与えないで吸引排出される。爆破ガスは廃気流に供給され、この廃気と混合されるので、混合による充分な減少に基づいて、もはや危険ではなくなる。新しい規定では、窒素酸化物を含むガスを処理しないで大気に排出することは許されない。従って、本発明による方法では、ノズルで噴射されて細かな滴になる水が、塵埃を交替して凝結する装置を介して、爆破の際に発生する蒸気に供給され、この水に予め添加剤が混合され、この添加剤が爆破の際に遊離する、窒素酸化物を含む類似のガスと共に、環境にやさしい化合物を生じる。この方法によって、環境にとってやさしい、すなわち人や機械に有害でない化合物を生じるように、有害な窒素酸化物（ＮＯ）を含むガスを凝結および処理することができる。万一、騒音が発生しても、適当な手段によって緩衝することができる。この騒音は一般的に無視される。爆破ガスを処理し、無害化するためのこの方法により、特別な装置を必要とせず、坑内の採掘で既に多数使用されているかまたは二重機能を発揮するように装備可能である適当に補足された塵埃除去装置を使用することができる。
【００２３】
本発明では更に、添加剤を多く含む水が、塵埃を凝結する装置から手前に離れてところで、爆破ガスに強く関連づけて爆破ガスに噴射される。これにより、二重洗浄を行うことができる。すなわち、手前に配置されたノズルまたは塵埃の凝結のために必要なノズルで洗浄を行うかあるいは手前に配置されたノズルだけで洗浄を行うことができる。それによって、方法を多彩に適用可能である。方法は必要に応じて大きな付加的なコストをかけずに実現可能であり、塵埃と窒素酸化物を含むガスの効果的な凝結または効果的な無害化を保証する。
【００２４】
本発明は特に、微細な小滴を有する確実に発生する、デミスタ手前の全円噴射パターンに基づいて、塵埃除去装置ケーシング全体を非常にコンパクトに形成することができ、ファンを塵埃除去装置ケーシングの外に配置することができるという特徴を有する。それによって、環境保護の義務を付加的に達成するために、ファン自体を保護することができ、かつファンに消音装置を備え付けることができる。多噴射流ノズルの個々のノズルは、デミスタの手前で非常に強力な微細な霧状の水が生じ、この水によって、デミスタの手前での他の水ノズルの使用が不要となるように、配置および分配されている。湿潤した塵埃材料スラリ材料はデミスタ内で凝結し、廃棄される。一方、きれいな空気内の残りの小滴は、空気流で廃棄部に供給排出するために、滴捕集器で捕集される。塵埃除去装置のこの特別な構造に基づいて、塵埃を発生する機械、例えば掘進機械に塵埃除去装置を直接付設することができる。それによって、適切にかつ正しい場所で塵埃除去装置の役目を発揮することができる。すなわち、塵埃を凝結させ、鉱山監督官庁または他の官庁の規定を満足するために、坑内空気または空気から塵埃を取り出すことができる。塵埃の凝結のほかに、同じ塵埃除去装置や補足した塵埃除去装置によって、爆破ガスにも使用することができる。この爆破ガスは坑内採掘やトンネル工事において坑道を掘進する際に発生する。坑内から岩石坑道や層坑道が出る場合、依然として爆破作業が省略されない。というのは、例えば小さな坑道横断面が存在するからである。このよなうな塵埃除去装置の場合あるいは相応する方法の場合、特別な装置が不要であり、必要な追加コストが少なくて済み、成功の見込みがかなり高い。このような装置によって塵埃を凝結し、無害化することができるだけでなく、爆破ガスをその都度交互に無害化することができる。
【発明を実施するための最良の形態】
【００２５】
本発明対象の他の詳細および利点は、付属の図の次の説明から明らかになる。図には、有利な実施の形態がそのために必要な個々の部分および個々の部品と共に示してある。
【００２６】
図１は塵埃除去装置１を一体化した掘進機械２の側面図である。掘進機械２によって、示唆的に示した坑道３内で坑内掘進が行われる。掘進機械は採取ロール８を有する採取アーム４と、後続配置のコンベヤ５とを備えている。塵埃除去装置１は掘進機械２に直接付設され、支柱６を介して走行装置７に連結されている。すなわち、採取アーム４とコンベヤ５の位置が塵埃除去装置の立設位置に悪影響を与えないように、塵埃除去装置は走行装置７に支持されている。
【００２７】
図１から明らかなように、ファン１１がその駆動装置１２と共に、塵埃除去装置ケーシングの入口側１３と出口側１４の間に配置されていないで、デミスタ１５と小滴捕集器１６を越えたところで固有のファンケーシング１８内に配置されている。ファンケーシング１８は消音装置２０の形をした防音装置１９を備えている。従って、ファンケーシング１８の出口１７の範囲内の流出するきれいな空気は、騒音を少ししか発生しない。
【００２８】
ファンケーシング１８の出口１７には案内ノズル２１が設けられている。この案内ノズルにより、流出するきれいな空気は後続の運転に負担をかけない。案内ノズル２１は、坑道の最初の範囲または他の範囲の方へきれいな空気を案内するために、好みに応じて調節可能である。
【００２９】
図１から更に、塵埃除去装置ケーシング１０がデミスタ１５の範囲において特別な形状を有していることが明らかである。というのは、上側エッジ２２が下側エッジ２３よりも大きく突出しているからである。従って、岩石の破片や粗い塵埃はデミスタ１５の範囲に達しない。
【００３０】
未処理の空気は２４で、そしてきれいなガス流は３４で示してある。両方共同時に、空気流方向２５を示している。
【００３１】
図２は塵埃除去装置１の側面図である。ここでも、未処理の空気は２４で示してある。この未処理の空気は空気ポート２６から塵埃除去装置ケーシング１０に流入する。この範囲において、霧状の水との最初の接触が行われる。この霧状の水は多噴射流ノズル３３の形をした湿潤ノズル２９，３０，３１を介して発生させられる。この多噴射流ノズル３３は未処理の空気内に霧状の水を排出し、一緒に運んできた塵埃を強く湿らすかまたは水と塵埃を接触させる。デミスタ１５では、塵埃の分離が行われる。一方、水小滴を運ぶ空気は空気案内板３５，３６を介して小滴捕集器１６上に均一に分配される。底板３７が傾斜していること判る。この底板の傾斜により、スラリは排出されて小滴捕集器１６の範囲に達するかあるいは例えば点検扉４０から取り出すことができる。塵埃除去装置ケーシング１０全体は支柱２７を介して地面で支持されている。ここで、場合によっては、後続のファンケーシング１８は一緒に支持されるかあるいは固有の支柱を備えている。
【００３２】
上記の多噴射流ノズル３３は、後続の傾斜したデミスタ１５のために霧状の水の離隔距離を同じにするために、支持台３８に付設されている。４１は給水管を示している。この給水管は圧力を加えた水を個々の多噴射流ノズル３３に均一に供給する。
【００３３】
支持台３８の範囲に他の点検扉３９が配置されている。これらのすべての点検扉３９，４０は、常に同じ閉鎖位置を保証するために、揺動扉として形成されている。
【００３４】
出口側１４の範囲において、ファンケーシング１８が塵埃除去装置ケーシング１０に接続されている。このファンケーシング内において、ファン１８がそのファンロータによって作動し、それによって未処理の空気２４が塵埃除去ケーシング１０に吸い込まれる。ファン１１にはきれいな空気、すなわち３４で示したきれいなガス流が供給される。このきれいな空気は出口１７のところでファンケーシング１８から出るかあるいは、本来のファンケーシング１８の後に、消音装置２０の形をした騒音防止装置１９が配置されているときには出口１７′のところでファンケーシングから出る。
【００３５】
図３は塵埃除去装置ケーシング１０を備えた塵埃除去装置１と、騒音防止装置１９としての働きをする消音装置２０を有する後続配置のファンケーシング１８との平面図である。本来のファンケーシング１８の手前には、塵埃除去装置ケーシング１０が設けられている。この塵埃除去装置ケーシング内には、小滴捕集器１６を備えたデミスタ１５と、湿潤ノズル２９，３０，３１が配置されている。この湿潤ノズル２９，３０，３１は、通常のごとく普通の水道に接続された給水管４１を備えている。この給水管４１内には混合器６２が配置され、この混合器はバイパスを経て遠くから案内されてきた、添加剤容器５８，５９からの液体を、給水管４１内を流れる水と強力に混合させる。添加剤の正しい量が配量器６０を経て混合されるので、爆破ガスを吸い込む場合、水と添加剤の混合物は湿潤ノズル２９，３０，３１を経て爆破ガスに当たる。それによって、この爆破ガスによって一緒に運ばれてきた、窒素酸化物を含むガスが反応し、危険でなくなる。理解されるように、添加剤容器５８，５９のほかに、他の添加剤容器を設けることができる。この他の添加剤容器は例えば、普通の場合、すなわち塵埃除去装置１の運転の際に、塵埃の凝結を促進するために添加剤を水に供給する容器である。一般的に、爆破の後で適当な爆破ガスが凝結しているときにのみ、混合器６２が働く。
【００３６】
爆破ガスがきわめて強力である場合あるいは他の理由から、上記の噴霧装置と爆破ガスに影響を与える装置の手前に、噴霧装置６４を配置することが合目的である。ノズル６５，６６を備えたこの噴霧装置６４は示唆的に示され、空気ポート２６の範囲内に配置されている。湿潤装置２９，３０，３１からこの噴霧装置６４までの距離は必要に応じて設定することができる。この噴霧装置６４の場合にも、必要な添加剤が添加剤容器５８，５９から配量器６０を経て取り出される。それによって、特に図示のように給水器６７からの水を混合すべきときに、混合器６２を介して強力な混合が行われる。
【００３７】
噴霧装置６４と普通の湿潤ノズル２９，３０，３１を一緒に使用してもよいし、適当に改良および拡張した湿潤ノズル２９，３０，３１だけを使用してもよいし、噴霧装置６４だけを使用してもよい。それによって、最適な多彩性が与えられる。
【００３８】
図４，５は、塵埃除去装置ケーシング１０とファンケーシング１８を備えた塵埃除去装置１の他の構造例を示している。この場合にも、塵埃除去ケーシング１０の入口側１３に、デミスタ１５が斜めに立てて配置され、未処理のガスまたは未処理の空気２４が供給される。この場合、未処理の空気２４は、デミスタ１５に達する前に、多噴射流ノズル３３，３３′，３３″によって発生する霧状の水４２の中を貫き進まなければならない。その際、塵埃は強く湿潤され、デミスタ１５内に確実に付着し、廃棄される。この場合にも、適当な点検扉３９が設けられている。この点検扉から、塵埃除去装置ケーシング１０の個々の部品に到達可能である。ファン１１と駆動装置１２を備えたファンケーシング１８が塵埃除去装置ケーシング１０の後に配置されている。この場合にも、ファンケーシング１８またはファン１１の後に、騒音を大幅に低減するために消音装置２０が配置されている。
【００３９】
図６は多噴射流ノズル３３の個々の噴射パターン５２，５３によって生じる全円噴射パターン５４を示している。図示のように、噴射パターン５２または５３，５３′は同じ大きさではない。これは、図７，８に示すように、個々の多噴射流ノズル３３が異なるように形成されているためである。その際、個々の多噴射ノズル３３は図示のように、給水管４１によって形成された支持台３８に付設されている。それによって、圧力を加えた水を個々の多噴射流ノズル３に最適に供給し、図示の全体噴射パターンまたは全円噴射パターン５４を生じるように、多噴射流ノズルを配置することができる。
【００４０】
個々の多噴射流ノズル３３は分配室４５を有するコンパクトケーシング４４を備えている。この分配室４５を経て、圧力を加えた水を個々のノズル４６，４７に供給することができる。図８では、個々のノズル４６が例えば円状に配置され、それによってその出口の穴４９はノズル底面５０の同じ高さ位置に配置されている。図７の場合には、傾斜面４８が設けられている。個々のノズル４６の一部がこの傾斜面から水を排出し、他の個々のノズル４７が図８の実施の形態の場合のように、ノズル底面５０内で水を排出する。図７の実施の形態によって、大きな噴射パターン５２が生じる。というのは、個々のノズル４７が異なる角度で、しかも異なる高さ位置で水を排出するからである。それにもかかわらず、均一性と強さが最適な、図６に示した全円噴射パターン５４が生じる。
【００４１】
上記のすべての特徴と図から推測可能な特徴は単独でも組み合わせても本発明にとって重要であると見なされる。
【図面の簡単な説明】
【００４２】
【図１】塵埃除去装置を備えた掘進機械を概略的に示す図である。
【図２】分離されたファンケーシングを備えた塵埃除去装置の側面図である。
【図３】図２の塵埃除去装置の平面図である。
【図４】ファンケーシングを分離した塵埃除去装置の他の実施の形態の側面図である。
【図５】図４の塵埃除去装置の実施の形態の平面図である。
【図６】多数の多噴射流ノズルを備えた支持台を示す図である。
【図７】傾斜面を有する多噴射流ノズルの断面図である。
【図８】個々のノズルを平らに配置した多噴射流ノズルの部分断面図である。
【符号の説明】
【００４３】
２                    掘進機械
４                    採取アーム
５                    コンベヤ
６                    支柱
７                    走行装置
１０                  塵埃除去装置ケーシング
１１                  ファン
１２                  駆動装置
１３                  入口側
１４                  出口側
１５                  デミスタ
１６                  小滴捕集器
１８                  ファンケーシング
１９                  騒音防止装置
２０                  消音装置
２１                  案内ノズル
２２                  上側エッジ
２３                  下側エッジ
２４                  未処理の空気
２５                  空気流れ方向
２９，３０，３１      湿潤ノズル
３３                  多噴射流ノズル
３４                  きれいなガス流
３５，３６            空気案内板
３７                  底板
３８                  支持台
３９，４０            点検扉
４１                  給水管
４４                  コンパクトケーシング
４５                  分配室
４６，４７            個々のノズル
４８                  傾斜面
５０                  ノズル底面
５１                  給水管
５４                  全円噴射パターン
５８，５９            添加剤容器
６０                  配量器
６２′                混合器
６４                  噴霧装置
６５，６６            ノズル
６７                  給水装置
【図１】
2005000915.tif 000003
【図２】
2005000915.tif 000004
【図３】
2005000915.tif 000005
【図４】
2005000915.tif 000006
【図５】
2005000915.tif 000007
【図６】
2005000915.tif 000008
【図７】
2005000915.tif 000009
【図８】
2005000915.tif 000010